(57)【要約】【課題】他事業者網を利用した場合に発生するアクセスチャージの軽減を実現する。【解決手段】複数の加入者端末が収容され、通話回線を介して接続される複数のサービス交換装置と、複数のサービス交換装置とは共通線信号網を介して接続されるサービス制御装置で構成されるインテリジェントネットワークシステムにおける接続番号制御装置であって、呼接続の信号から発着信を行う加入者端末のエリアと、経由する発着信サービス交換装置の情報収集を行う発着信エリア管理部３２と、接続パターン毎にどの発着信サービス交換装置を経由して接続されたかを管理し、呼毎に最適な接続先番号指示を行う接続先情報管理部３３と、接続を行ったパターン毎にアクセスチャージを算出し、最適な接続番号の管理を行うアクセスチャージ管理部３５で構成される。【選択図】　　　図２
2004080348.tif 000002
【特許請求の範囲】
【請求項１】
複数の加入者端末が収容され、通話回線を介して接続される複数のサービス交換装置と、前記複数のサービス交換装置とは共通線信号網を介して接続されるサービス制御装置で構成されるインテリジェントネットワークシステムにおける接続番号制御装置であって、
前記サービス制御装置は、サービス提供時に前記加入者端末による呼を制御し、前記呼毎に最適な接続パターンを判定して接続指示を行う接続番号制御手段、を備えたことを特徴とするインテリジェントネットワークシステムにおける接続番号制御装置。
【請求項２】
前記接続番号制御手段は、
前記呼接続の信号から発着信を行う加入者端末のエリアと、経由する発着信サービス交換装置の情報収集を行う発着信エリア管理手段と、
前記接続パターン毎にどの発着信サービス交換装置を経由して接続されたかを管理し、前記呼毎に最適な接続先番号指示を行う接続先情報管理手段と、
前記接続を行ったパターン毎にアクセスチャージを算出し、最適な接続番号の管理を行うアクセスチャージ管理手段と、
を備えたことを特徴とする請求項１に記載のインテリジェントネットワークシステムにおける接続番号制御装置。
【請求項３】
前記発着信エリア管理手段は、
ダイヤル番号から得られる着信番号から着信エリアと着信事業者情報を索引し、接続情報管理テーブルを参照して発信エリアと着信番号を索引して一致する発信エリアと着信エリアと着信事業者の有無をチェックし、無い場合に付加情報管理テーブルに設定されてある付加番号と組み合わせて前記接続情報管理テーブルへ新規の情報として登録することを特徴とする請求項２に記載のインテリジェントネットワークシステムにおける接続番号制御装置。
【請求項４】
前記接続先情報管理手段は、
前記接続情報管理テーブルを参照して該当する発信エリアと着信エリアと着信事業者により管理情報登録の有無を索引し、管理情報登録が有の場合における付加番号の存在をチェックし、前記付加番号が存在する場合、前記接続情報管理テーブルを参照して接続未実施の付加番号を索引し、前記付加番号が存在しない場合、アクセスチャージ管理テーブルを参照して前記発信エリアと着信エリアと着信事業者から付加番号を索引し、得られる付加番号を付与した接続番号を指示すること、
を特徴とする請求項２または３に記載のインテリジェントネットワークシステムにおける接続番号制御装置。
【請求項５】
前記アクセスチャージ管理手段は、
単位時間に対するアクセスチャージを算出する他に、前記接続情報管理テーブルを参照して一致する発信エリアと着信エリアと着信事業者の接続実施／未実施をチェックし、全て接続実施と判定された場合、アクセスチャージ管理テーブルを参照して前記算出されたアクセスチャージと登録されたアクセスチャージとを比較し、前記算出されたアクセスチャージが安い場合に前記算出されたアクセスチャージを前記アクセスチャージ管理テーブルへ登録すること、
を特徴とする請求項２に記載のインテリジェントネットワークシステムにおける接続番号制御装置。
【請求項６】
複数の加入者端末が収容され、通話回線を介して接続される複数のサービス交換装置と、前記複数のサービス交換装置とは共通線信号網を介して接続されるサービス制御装置で構成されるインテリジェントネットワークシステムのための前記サービス制御装置による接続番号制御方法であって、
サービス提供時に前記加入者端末による呼を制御し、前記呼毎に最適な接続パターンを判定して接続指示を行うこと、
を特徴とする接続番号制御方法。
【請求項７】
複数の加入者端末が収容され、通話回線を介して接続される複数のサービス交換装置と、前記複数のサービス交換装置とは共通線信号網を介して接続されるサービス制御装置で構成されるインテリジェントネットワークシステムにおける接続番号制御装置に用いられる接続番号制御プログラムであって、
前記呼接続の信号から発着信を行う加入者端末のエリアと、経由する発着信サービス交換装置の情報収集を行うステップと、
前記接続パターン毎にどの発着信サービス交換装置を経由して接続されたかを管理し、前記呼毎に最適な接続先番号指示を行うステップと、
前記接続を行ったパターン毎にアクセスチャージを算出し、最適な接続番号の管理を行うステップと、
をコンピュータに実行させる接続番号制御プログラム。
【請求項８】
請求項７に記載の接続番号制御プログラムを記録したコンピュータ読み取り可能な記録媒体。
【発明の詳細な説明】
【０００１】
【発明の属する技術分野】
本発明は、複数の加入者端末が収容され、通話回線を介して接続される複数のサービス交換装置と、前記複数のサービス交換装置とは共通線信号網を介して接続されるサービス制御装置で構成される、インテリジェントネットワークシステムにおける接続番号制御装置及び方法、並びに接続番号制御プログラムに関する。
【０００２】
【従来の技術】
従来の電話網は、発信者のダイヤル情報に従って着信者に至る回線を順次接続するといった基本的なサービスを中心に発展してきた。ところが最近、様々なネットワークサービスを柔軟に、かつ、迅速に提供するために、インテリジェントネットワーク（ＩＮ：Ｉｎｔｅｌｌｉｇｅｎｔ・Ｎｅｔｗｏｒｋ）と称されるネットワークが構築されている。
ＩＮは、加入者端末を収容する複数のサービス交換装置（ＳＳＰ：Ｓｅｒｖｉｃｅ・Ｓｗｉｔｃｈｉｎｇ・Ｐｏｉｎｔ）と、電話交換網全体を制御する少なくとも１つのサービス制御装置（ＳＣＰ：Ｓｅｒｖｉｃｅ・Ｃｏｎｔｒｏｌ・Ｐｏｉｎｔ）から構成され、両者は共通線信号網を介して接続される。
【０００３】
【発明が解決しようとする課題】
ところで、共通線信号網と接続されたサービス制御装置（ＳＣＰ）を用いたフリーダイヤルサービス、ＶＰＮサービス等、高度ＩＮ系サービスの接続指示信号（着信加入者番号）として、ある固定的な番号（ＯＡ〜Ｊ）を用いるのが一般的である。
しかしながら、上記した接続指示信号によれば他事業者網を利用した接続形態となる場合があり、この場合、他事業者ネットワークを利用した際に発生するアクセスチャージ（網使用料）を他事業者へ支払うことになり適切ではない。アクセスチャージは事業者により様々に設定されており、固定的な接続指示信号では必ずしも最も安い他事業者ネットワークを利用しているとは限らない。そこで、接続指示信号として最もアクセスチャージの安い他事業者ネットワークを経由するために適切な接続先を指示する必要がある。
【０００４】
本発明は上記事情に鑑みてなされたものであり、発着信者エリア（料金区域）と発着信事業者から適切な接続指示番号の選択を行い、発着信者エリアと発着信事業者毎に様々な接続パターンを施行することにより算出されるアクセイチャージが最も安くなる接続指示信号の管理を行うことで、アクセスチャージが最も安くなるルートを自動的に指示し、他事業者網を利用した場合に発生するアクセスチャージの軽減を実現することのできる、インテリジェントネットワークシステムにおける接続番号制御装置及び方法、並びに接続番号制御プログラムを提供することを目的とする。
【０００５】
【課題を解決するための手段】
上記した課題を解決するために本発明は、複数の加入者端末が収容され、通話回線を介して接続される複数のサービス交換装置と、前記複数のサービス交換装置とは共通線信号網を介して接続されるサービス制御装置で構成されるインテリジェントネットワークシステムにおける接続番号制御装置であって、前記サービス制御装置は、サービス提供時に前記加入者端末による呼を制御し、前記呼毎に最適な接続パターンを判定して接続指示を行う接続番号制御手段、を備えたことを特徴とする。
【０００６】
本発明によれば、接続番号制御手段が、サービス提供時に加入者端末による呼を制御し、呼毎に最適な接続パターンを判定して接続指示を行うことにより、アクセスチャージが最も安くなるルートを自動的に指示し、他事業者網を利用した場合に発生するアクセスチャージの軽減を実現することができる。
【０００７】
また、本発明において、前記接続番号制御手段は、前記呼接続の信号から発着信を行う加入者端末のエリアと、経由する発着信サービス交換装置の情報収集を行う発着信エリア管理手段と、前記接続パターン毎にどの発着信サービス交換装置を経由して接続されたかを管理し、前記呼毎に最適な接続先番号指示を行う接続先情報管理手段と、前記接続を行ったパターン毎にアクセスチャージを算出し、最適な接続番号の管理を行うアクセスチャージ管理手段と、を備えたことを特徴とする。
【０００８】
本発明によれば、接続先情報管理手段が、発着信エリア管理手段により情報収集される発着信者エリアと発着信事業者から適切な接続指示番号の選択を行い、発着信者エリアと発着信事業者毎に様々な接続パターンを施行することにより、アクセスチャージ管理手段により算出されるアクセイチャージが最も安くなる接続指示信号の管理を行うことで、アクセスチャージが最も安くなるルートを自動的に指示することで、他事業者網を利用した場合に発生するアクセスチャージの軽減を実現可能なインテリジェントネットワークシステムにおける接続番号制御装置を提供することができる。
【０００９】
また、本発明において、前記発着信エリア管理手段は、ダイヤル番号から得られる着信番号から着信エリアと着信事業者情報を索引し、接続情報管理テーブルを参照して発信エリアと着信番号を索引して一致する発信エリアと着信エリアと着信事業者の有無をチェックし、無い場合に付加情報管理テーブルに設定されてある付加番号と組み合わせて前記接続情報管理テーブルへ新規の情報として登録することを特徴とする。
【００１０】
また、本発明において、前記接続先情報管理手段は、前記接続情報管理テーブルを参照して該当する発信エリアと着信エリアと着信事業者により管理情報登録の有無を索引し、管理情報登録が有の場合における付加番号の存在をチェックし、前記付加番号が存在する場合、前記接続情報管理テーブルを参照して接続未実施の付加番号を索引し、前記付加番号が存在しない場合、アクセスチャージ管理テーブルを参照して前記発信エリアと着信エリアと着信事業者から付加番号を索引し、得られる付加番号を付与した接続番号を指示すること、を特徴とする。
【００１１】
また、本発明において、前記アクセスチャージ管理手段は、単位時間に対するアクセスチャージを算出する他に、前記接続情報管理テーブルを参照して一致する発信エリアと着信エリアと着信事業者の接続実施／未実施をチェックし、全て接続実施と判定された場合、アクセスチャージ管理テーブルを参照して前記算出されたアクセスチャージと登録されたアクセスチャージとを比較し、前記算出されたアクセスチャージが安い場合に前記算出されたアクセスチャージを前記アクセスチャージ管理テーブルへ登録すること、を特徴とする。
【００１２】
上記した課題を解決するために本発明は、複数の加入者端末が収容され、通話回線を介して接続される複数のサービス交換装置と、前記複数のサービス交換装置とは共通線信号網を介して接続されるサービス制御装置で構成されるインテリジェントネットワークシステムのための前記サービス制御装置による接続番号制御方法であって、サービス提供時に前記加入者端末による呼を制御し、前記呼毎に最適な接続パターンを判定して接続指示を行うこと、を特徴とする。
【００１３】
上記した課題を解決するために本発明は、複数の加入者端末が収容され、通話回線を介して接続される複数のサービス交換装置と、前記複数のサービス交換装置とは共通線信号網を介して接続されるサービス制御装置で構成されるインテリジェントネットワークシステムにおける接続番号制御装置に用いられる接続番号制御プログラムであって、前記呼接続の信号から発着信を行う加入者端末のエリアと、経由する発着信サービス交換装置の情報収集を行うステップと、前記接続パターン毎にどの発着信サービス交換装置を経由して接続されたかを管理し、前記呼毎に最適な接続先番号指示を行うステップと、前記接続を行ったパターン毎にアクセスチャージを算出し、最適な接続番号の管理を行うステップと、をコンピュータに実行させることを特徴とする。
【００１４】
【発明の実施の形態】
図１は、本発明が実現されるインテリジェントネットワークシステムの接続構成例を示すブロック図である。
図１において、１は、加入者端末であり、発側通信事業者２、着側通信事業者１０が持つ図示せぬサービス交換装置（ＳＳＰ）に収容され、かつ、接続されている。７、８、９は、他の通信事業者であり、それぞれが所有する通信回線網６を介して発側通信事業者２、着側通信事業者１０のＳＳＰを接続する。５は、共通線信号網であり、当該共通線信号網５を介して上記した各ＳＳＰとサービス制御装置（ＳＣＰ）が接続されることにより、インテリジェントネットワークシステムが構築される。
サービス制御装置（ＳＣＰ）３には、本発明の接続番号制御装置３０が含まれる。接続番号制御装置３０は、サービス提供時に前記加入者端末による呼を制御し、前記呼毎に最適な接続パターンを判定して接続指示を行うものであり、その内部構成等詳細は後述する。
【００１５】
図２は、図１に示すＳＣＰが持つ接続番号制御装置３０の内部構成を機能展開して示したブロック図である。
本発明の接続番号制御装置３０は、接続先番号指示部３１と、発着信エリア管理部３２と、接続先情報管理部３３と、アクセスチャージ算出部３４と、アクセスチャージ管理部３５と、着信者エリア／着事業者情報テーブル３６と、付加情報管理テーブル３７と、接続情報管理テーブル３８と、アクセスチャージ管理テーブル３９で構成される。
【００１６】
接続先番号指示部３１は、呼信号からダイヤル番号を抽出し、データベースを索引することにより登録されている着信番号を決定して発着信エリア管理部３２へ引き渡す機能を持つ。また、発着信エリア管理部３２は、呼接続の信号から発着信を行う加入者端末１のエリアと、経由する通信事業者（ＳＳＰ）の情報収集を行う機能を持つ。
接続先情報管理部３３は、接続パターン毎にどの通信事業者（ＳＳＰ）を経由して接続されたかを管理し、呼毎に最適な接続先番号指示を行う機能を持つ。また、アクセスチャージ算出部３４は、アクセスチャージの算出を行ってアクセスチャージ管理部３５へ引き渡し、アクセスチャージ管理部３５では、接続を行ったパターン毎にアクセスチャージの算出結果をもとに、最適な接続番号の管理を行う機能を持つ。
【００１７】
着信者エリア／着事業者情報テーブル３６と、付加情報管理テーブル３７と、接続情報管理テーブル３８と、アクセスチャージ管理テーブル３９のそれぞれのデータフィールド構造は、それぞれ図３（ａ）〜（ｄ）に示されている。
着信者エリア／着事業者情報テーブル３６には、着番号（ダイヤル番号）に対応した、事業者と料金区域を示したデータが格納され、このテーブルは、事業者間清算（アクセスチャージ算出）を行うために必須のテーブルである。付加番号管理テーブル３７は、着信側へ接続を指示する際に、ＯＡ〜Ｊ番号に付加することが可能な番号を示したデータであり、発信側ＳＳＰに内蔵されるトランスレーションテーブル（着番号より出回線を選択するデータ）を基に生成されるものであり、トランスレーションテーブルの新規追加／変更／削除をトリガとして、内容が変更及び生成されるものとする。また、必要に応じて人手によるデータの追加変更をも可能とする。
【００１８】
接続情報管理テーブル３８は、各接続パターン（発信者エリアと着信者エリアと着事業者の組合せ）に対し、接続の実施／未実施を管理するテーブルであり、１コール接続される毎に必要に応じて内容が生成される。接続された呼が、管理情報として登録が無い接続パターンの場合は、接続された呼の「発信者エリア／着信者エリア／着信事業者」と、上記した付加情報管理テーブル３７を基にテーブル内容が追加される。
アクセスチャージ管理テーブル３９は、各接続パターン（発信者エリアと着信者エリアと着事業者の組合せ）に対し、最もアクセイチャージが安くなる付加番号を管理するテーブルである。各接続パターンにおいて、アクセスチャージが安くなる付加番号が発生した場合、テーブルの追加／更新が自動的に行われる。
【００１９】
以下、図１、図２を参照しながら本発明の概略動作について説明する。まず、発信者が加入者端末１を操作してＳＣＰを用いたサービスを利用するためにダイヤル（００ＸＹ、０ＡＢ０等の特殊番号）が行なわれる。ここで、発側通信事業者２は、ＳＣＰ３へアクセスを行って接続指示を待つ。
ＳＣＰ３の接続先番号指示部３１では、発信者がダイヤルした番号を基に接続先の着信者番号（ＯＡ〜Ｊ）を決定するための動作を行う。また、発着信エリア管理部３２では、決定した着信者番号（ＯＡ〜Ｊ）から着信エリアと着信事業者を判定する。更に、接続先情報管理部３３では、発／着信エリアと発着信事業者から、考えられる接続指示番号を順に使用して接続指示を行う。
ここでは、該当する発着信エリアと発着信事業者向けの第１コール：通信事業者Ａ（７）を経由する番号、該当する発着信エリアと発着信事業者向けの第２コール：通信事業者Ｂ（８）を経由する番号、該当する発着信エリアと発着信事業者向けの第３コール：通信事業者Ｃ（９）を経由する番号を順次指示し、該当する発着信エリアと発着信事業者向けの第４コール以降：通信事業者Ａ／Ｂ／Ｃでアクセスチャージの最も安い番号を指示する。
【００２０】
次に、ＳＣＰ３は、発側通信事業者２へ選択された接続指示番号を通知する。
このことにより、発側通信事業者２が通知された接続指示番号を基に着側通信事業者１０への接続を行うことにより、発信者と着信者が通話を行うことができる。
ここで、ＳＣＰ３のアクセスチャージ管理部３５では、通話終了後に発側通信事業者２から通知された通話情報を基にアクセスチャージを算出し、算出したアクセスチャージ額を記録する。但し、既に記録されているアクセスチャージ額と比べて高い場合は、その記録は行われない。
【００２１】
図４は、本発明のインテリジェントネットワークシステムにおける接続番号制御装置の詳細動作を説明するために引用したフローチャートであり、具体的には本発明の接続番号制御プログラムの処理手順を示す。
以下、図４に示すフローチャートを参照しながら図１〜図３に示す本発明実施形態の動作について詳細に説明する。
【００２２】
まず、発信者が加入者端末１を操作してＳＣＰを用いたサービスを利用するためにダイヤル（００ＸＹ、０ＡＢ０等の特殊番号）を行ったとする。ここで、発側通信事業者２は、ＳＣＰ３へアクセスを行って接続指示を待つ。接続先番号指示部３１は、受信した信号からダイヤル番号を抽出し（Ｓ４０１）、このダイヤル番号から図示せぬデータベースを索引して登録されている着信番号を決定し、発着信エリア管理部３２へ引き渡す（Ｓ４０２）。
発着信エリア管理部３２は、着信者エリア／着事業者情報テーブル３６を参照してダイヤル番号から得られる着信番号から着信エリアと着信事業者情報を索引し（Ｓ４０３）、更に、接続情報管理テーブル３８を参照して発信エリアと着信番号を索引し（Ｓ４０４）、一致する発信エリアと着信エリアと着信事業者の有無をチェックする（Ｓ４０５）。ここで、ある場合は接続情報管理部３３に制御を移し、無い場合は、付加情報管理テーブル３７に設定されてある付加番号と組み合わせて接続情報管理テーブル３８へ新規の情報として登録する（Ｓ４０６）。
【００２３】
接続先情報管理部３３は、接続情報管理テーブル３８を参照して該当する発信エリアと着信エリアと着信事業者により接続実施の有無を索引する（Ｓ４０７）。そして、未実施の場合における付加番号の存在をチェックし（Ｓ４０８）、付加番号が存在する場合、接続情報管理テーブル３８を参照して接続未実施の付加番号を索引し（Ｓ４０９）、付加番号を付与した接続番号を指示する（Ｓ４１１）。
一方、接続未実施の付加番号が存在しない場合（全てが接続実施の場合）、アクセスチャージ管理テーブル３９を参照して発信エリアと着信エリアと着信事業者から付加番号を索引し（Ｓ４１０）、得られる付加番号を付与した接続番号を指示する（Ｓ４１１）。ここで、発信者と着信者が通話を行うことができる（Ｓ４１２）。
【００２４】
ここで、アクセスチャージ算出部３３は、通話番号から情報収集を行い（Ｓ４１３）、アクセスチャージを算出してアクセスチャージ管理部３４へ引き渡す（Ｓ４１４）。アクセスチャージ管理部３４は、単位時間に対するアクセスチャージを算出する（Ｓ４１５）他に、接続情報管理テーブル３８を参照して発信エリアと着信番号を索引して一致する発信エリアと着信エリアと着信事業者の有無をチェックする（Ｓ４１６）。
ここで、有と判定された場合、アクセスチャージ管理テーブル３９を参照してアクセスチャージ算出部３４により算出されたアクセスチャージとアクセスチャージ管理テーブル３９に登録されたアクセスチャージとを比較し（Ｓ４１７）、その結果、算出されたアクセスチャージが安い場合に限り（Ｓ４１８）、その算出されたアクセスチャージをアクセスチャージ管理テーブル３９へ登録する（Ｓ４１９）。
【００２５】
以上説明のように本発明によれば、発着信者エリア（料金区域）と発着信事業者から適切な接続指示番号の選択を行い、発着信者エリアと発着信事業者毎に様々な接続パターンを施行することにより算出されるアクセイチャージが最も安くなる接続指示信号の管理を行うことで、アクセスチャージが最も安くなるルートを自動的に指示し、他事業者網を利用した場合に発生するアクセスチャージの軽減を実現することが可能になる。
なお、図２に示す接続先番号指示部３１と、発着信エリア管理部３２と、接続先情報管理部３３と、アクセスチャージ算出部３４と、アクセスチャージ管理部３５のそれぞれで実行される手順をコンピュータ読み取り可能な記録媒体に記録し、この記録媒体に記録されたプログラムをコンピュータシステムに読み込ませ、実行することにより本発明のインテリジェントネットワークシステムにおける接続番号制御装置が実現されるものとする。ここでいうコンピュータシステムとは、ＯＳや周辺機器等のハードウアを含むものである。
【００２６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００２７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００２８】
以上、この発明の実施形態につき、図面を参照して詳述してきたが、具体的な構成はこの実施形態に限られるものではなく、この発明の要旨を逸脱しない範囲の設計等も含まれる。
【００２９】
【発明の効果】
以上説明のように本発明によれば、サービス提供時に加入者端末による呼を制御し、呼毎に最適な接続パターンを判定して接続指示を行うことにより、アクセスチャージが最も安くなるルートを自動的に指示し、他事業者網を利用した場合に発生するアクセスチャージの軽減を実現することができる。従って、アクセスチャージ軽減による通信事業者の利益増につながり、運営に貢献することができる。
【図面の簡単な説明】
【図１】本発明が実現されるインテリジェントネットワークシステムの接続構成例を示すブロック図である。
【図２】図１に示すＳＣＰが持つ接続番号制御装置３０の内部構成を機能展開して示したブロック図である。
【図３】本発明におして使用される各種管理テーブルのデータフィールド構造の一例を示す図である。
【図４】本発明実施形態の動作を説明するために引用したフローチャートである。
【符号の説明】
１…加入者端末、…２発側通信事業者、３…サービス制御装置（ＳＣＰ）、５…共通線信号網、６…通話回線網、７（８、９）…通信事業者、１０…着側通信事業者、３０…接続番号制御装置、３１…接続先番号指示部、３２…発着信エリア管理部、３３…接続先情報管理部、３４…アクセスチャージ算出部、３５…アクセスチャージ管理部、３６…着信者エリア／着事業者情報テーブル、３７…付加情報管理テーブル、３８…接続情報管理テーブル、３９…アクセスチャージ管理テーブル
【図１】
2004080348.tif 000003
【図２】
2004080348.tif 000004
【図３】
2004080348.tif 000005
【図４】
2004080348.tif 000006